(57)【要約】【課題】認証システムを用いる場合と比較して、より簡易に親展処理を行わせることが可能な画像処理装置および画像処理システムを提供すること。【解決手段】ユーザからの指示に従って処理情報を生成するユーザ端末３０から送信された、ユーザが装着する身体情報端末５０の身体情報が関連付けられた処理情報である付加処理情報を保存する保存部１４と、身体情報端末５０から身体情報を受信する第１の受信部２０と、第１の受信部２０で受信された身体情報と前記保存部１４に保存された付加処理情報の身体情報が一致した場合に付加処理情報に含まれる処理情報に対応する処理を実行する実行部１８と、を含む。【選択図】図１
2019168757.tif 000002
【特許請求の範囲】
【請求項１】
ユーザからの指示に従って処理情報を生成するユーザ端末から送信された、ユーザが装着する身体情報端末の身体情報が関連付けられた前記処理情報である付加処理情報を保存する保存部と、
前記身体情報端末から前記身体情報を受信する第１の受信部と、
前記第１の受信部で受信された前記身体情報と前記保存部に保存された前記付加処理情報の身体情報が一致した場合に前記付加処理情報に含まれる処理情報に対応する処理を実行する実行部と、を含む
画像処理装置。
【請求項２】
前記ユーザの接近を検知する検知部をさらに含み、
前記第１の受信部は、前記検知部がユーザの接近を検知した場合に前記身体情報端末から前記身体情報を受信する
請求項１に記載の画像処理装置。
【請求項３】
前記検知部は、前記身体情報端末と前記画像処理装置との距離が予め定められた距離以内である場合に前記接近を検知する
請求項２に記載の画像処理装置。
【請求項４】
前記検知部は、前記第１の受信部における前記身体情報端末との通信信号を用いて前記身体情報端末と前記画像処理装置との距離を取得する
請求項３に記載の画像処理装置。
【請求項５】
前記第１の受信部は、前記検知部による前記ユーザの接近が予め定められた期間継続した場合に、前記身体情報端末から前記身体情報を受信する
請求項２から請求項４のいずれか１項に記載の画像処理装置。
【請求項６】
前記第１の受信部は、前記検知部が複数のユーザの接近を検知した場合にいずれの前記身体情報端末からも身体情報を受信しない
請求項２から請求項５のいずれか１項に記載の画像処理装置。
【請求項７】
前記実行部は、前記付加処理情報が前記保存部に保存されてから予め定められた期間経過した場合に付加処理情報に含まれる処理を実行しない
請求項１から請求項６のいずれか１項に記載の画像処理装置。
【請求項８】
前記身体情報が前記ユーザの虹彩の情報、指紋の情報、および位置の情報の少なくとも１つである
請求項１から請求項７のいずれか１項に記載の画像処理装置。
【請求項９】
前記処理情報の実行に伴う情報を表示する表示部をさらに含み、
前記実行部は、前記処理情報に対応する処理の実行に際し前記処理の開始の確認を促す画像を前記表示部に表示させる
請求項１から請求項８のいずれか１項に記載の画像処理装置。
【請求項１０】
請求項１から請求項９のいずれか１項に記載の画像処理装置と、
ユーザが装着するとともに前記ユーザの身体情報を送信する第１の送信部を備えた身体情報端末と、
前記身体情報端末からの前記身体情報を受信する第２の受信部、前記ユーザからの指示に従って処理情報を生成するとともに、前記第２の受信部が前記身体情報を受信した場合に前記処理情報に前記身体情報が関連付けられた付加処理情報を生成する生成部、および前記付加処理情報を前記画像処理装置に送信する第２の送信部を備えたユーザ端末と、
を含む画像処理システム。
【請求項１１】
前記ユーザ端末は、前記ユーザ端末と前記身体情報端末とを対応付けて登録する登録部をさらに備え、
前記生成部は、前記第２の受信部が受信した前記身体情報を送信した前記身体情報端末が前記登録部に登録されている場合に前記付加処理情報を生成する
請求項１０に記載の画像処理システム。
【請求項１２】
前記ユーザ端末は記憶部をさらに備え、
前記生成部は、前記処理情報と前記身体情報とを対にして記憶部に記憶させ、前記付加処理情報の生成時に前記記憶部から前記処理情報と前記身体情報とを対にして読み出し前記付加処理情報を生成する
請求項１０または請求項１１に記載の画像処理システム。
【請求項１３】
前記身体情報端末と前記ユーザ端末が一体として構成された
請求項１０から請求項１２のいずれか１項に記載の画像処理システム。
【発明の詳細な説明】
【技術分野】
【０００１】
本発明は、画像処理装置、および画像処理システムに関する。
【背景技術】
【０００２】
特許文献１には、ユーザ端末と通信可能な情報処理装置であって、ユーザ端末から、該ユーザ端末を付帯するユーザから該ユーザ端末が取得した生体情報を受信する受信手段と、受信手段により受信した生体情報に基づいて、ユーザ端末を付帯するユーザのユーザ認証処理を実行するユーザ認証処理手段と、ユーザ認証処理手段によるユーザ認証処理結果に基づいて、情報処理機能を提供する情報処理手段とを含む、情報処理装置が開示されている。
【０００３】
特許文献２には、ユーザが身に付けて使用する端末装置と、ユーザからの指示に従って画像を出力する出力処理を実行する画像出力装置と、を有する画像処理システムであって、端末装置にユーザから身体的な特徴を取得する取得手段が備えられ、端末装置または画像出力装置に、出力処理が実行される前に取得手段によって取得された身体的な特徴に基づいてユーザを認証する認証処理を実行する認証手段が備えられ、画像出力装置に、認証手段によってユーザが認証された場合に出力処理を実行する出力処理手段が備えられることを特徴とする画像処理システムが開示されている。
【先行技術文献】
【特許文献】
【０００４】
【特許文献１】特許２０１６−１４９００３号公報
【特許文献２】特許２０１７−１０８３１６号公報
【発明の概要】
【発明が解決しようとする課題】
【０００５】
本発明は、認証システムを用いる場合と比較して、より簡易に親展処理を行わせることが可能な画像処理装置および画像処理システムを提供することを目的とする。
【課題を解決するための手段】
【０００６】
上記目的を達成するために、請求項１に記載の画像処理装置は、ユーザからの指示に従って処理情報を生成するユーザ端末から送信された、ユーザが装着する身体情報端末の身体情報が関連付けられた前記処理情報である付加処理情報を保存する保存部と、前記身体情報端末から前記身体情報を受信する第１の受信部と、前記第１の受信部で受信された前記身体情報と前記保存部に保存された前記付加処理情報の身体情報が一致した場合に前記付加処理情報に含まれる処理情報に対応する処理を実行する実行部と、を含むものである。
【０００７】
また、請求項２に記載の発明は、請求項１に記載の発明において、前記ユーザの接近を検知する検知部をさらに含み、前記第１の受信部は、前記検知部がユーザの接近を検知した場合に前記身体情報端末から前記身体情報を受信するものである。
【０００８】
また、請求項３に記載の発明は、請求項２に記載の発明において、前記検知部は、前記身体情報端末と前記画像処理装置との距離が予め定められた距離以内である場合に前記接近を検知するものである。
【０００９】
また、請求項４に記載の発明は、請求項３に記載の発明において、前記検知部は、前記第１の受信部における前記身体情報端末との通信信号を用いて前記身体情報端末と前記画像処理装置との距離を取得するものである。
【００１０】
また、請求項５に記載の発明は、請求項２から請求項４のいずれか１項に記載の発明において、前記第１の受信部は、前記検知部による前記ユーザの接近が予め定められた期間継続した場合に、前記身体情報端末から前記身体情報を受信するものである。
【００１１】
また、請求項６に記載の発明は、請求項２から請求項５のいずれか１項に記載の発明において、前記第１の受信部は、前記検知部が複数のユーザの接近を検知した場合にいずれの前記身体情報端末からも身体情報を受信しないものである。
【００１２】
また、請求項７に記載の発明は、請求項１から請求項６のいずれか１項に記載の発明において、前記実行部は、前記付加処理情報が前記保存部に保存されてから予め定められた期間経過した場合に付加処理情報に含まれる処理を実行しないものである。
【００１３】
また、請求項８に記載の発明は、請求項１から請求項７のいずれか１項に記載の発明において、前記身体情報が前記ユーザの虹彩の情報、指紋の情報、および位置の情報の少なくとも１つであるものである。
【００１４】
また、請求項９に記載の発明は、請求項１から請求項８のいずれか１項に記載の発明において、前記処理情報の実行に伴う情報を表示する表示部をさらに含み、前記実行部は、前記処理情報に対応する処理の実行に際し前記処理の開始の確認を促す画像を前記表示部に表示させるものである。
【００１５】
上記目的を達成するために、請求項１０に記載の画像処理システムは、請求項１から請求項９のいずれか１項に記載の画像処理装置と、ユーザが装着するとともに前記ユーザの身体情報を送信する第１の送信部を備えた身体情報端末と、前記身体情報端末からの前記身体情報を受信する第２の受信部、前記ユーザからの指示に従って処理情報を生成するとともに、前記第２の受信部が前記身体情報を受信した場合に前記処理情報に前記身体情報が関連付けられた付加処理情報を生成する生成部、および前記付加処理情報を前記画像処理装置に送信する第２の送信部を備えたユーザ端末と、を含むものである。
【００１６】
また、請求項１１に記載の発明は、請求項１０に記載の発明において、前記ユーザ端末は、前記ユーザ端末と前記身体情報端末とを対応付けて登録する登録部をさらに備え、前記生成部は、前記第２の受信部が受信した前記身体情報を送信した前記身体情報端末が前記登録部に登録されている場合に前記付加処理情報を生成するものである。
【００１７】
また、請求項１２に記載の発明は、請求項１０または請求項１１に記載の発明において、前記ユーザ端末は記憶部をさらに備え、前記生成部は、前記処理情報と前記身体情報とを対にして記憶部に記憶させ、前記付加処理情報の生成時に前記記憶部から前記処理情報と前記身体情報とを対にして読み出し前記付加処理情報を生成するものである。
【００１８】
また、請求項１３に記載の発明は、請求項１０から請求項１２のいずれか１項に記載の発明において、前記身体情報端末と前記ユーザ端末が一体として構成されたものである。
【発明の効果】
【００１９】
請求項１および請求項１０に記載の発明によれば、認証システムを用いる場合と比較して、より簡易に親展処理を行わせることが可能な画像処理装置および画像処理システムが提供される、という効果が得られる。
【００２０】
請求項２に記載の発明によれば、第１の受信部が検知部によるユーザの接近の検知を用いないで身体情報端末から身体情報を受信する場合と比較して、身体情報の取得のタイミングが明確になる、という効果が得られる。
【００２１】
請求項３に記載の発明によれば、検知部が身体情報端末と画像処理装置との距離を用いないで接近を検知する場合と比較して、検知の基準が明確化される、という効果が得られる。
【００２２】
請求項４に記載の発明によれば、検知部がＧＰＳ信号用いて身体情報端末と画像処理装置との距離を取得する場合と比較して、より簡易に身体情報端末と画像処理装置との距離が取得される、という効果が得られる。
【００２３】
請求項５に記載の発明によれば、ユーザの接近を検知してすぐに身体情報端末から身体情報を受信する場合と比較して、ユーザの通過による誤動作が抑制される、という効果が得られる。
【００２４】
請求項６に記載の発明によれば、検知部が複数のユーザの接近を検知した場合にいずれかの身体情報端末から身体情報を受信する場合と比較して、親展処理がより確実化される、という効果が得られる。
【００２５】
請求項７に記載の発明によれば、実行部が付加処理情報が保存部に保存されてからの期間を設けないで付加処理情報に含まれる処理を実行する場合と比較して、保存部の記憶容量が削減される、という効果が得られる。
【００２６】
請求項８に記載の発明によれば、身体情報をユーザの虹彩の情報、指紋の情報、および位置の情報以外の情報とする場合と比較して、身体情報がより容易に取得される、という効果が得られる。
【００２７】
請求項９に記載の発明によれば、実行部が処理情報に対応する処理の実行に際し処理の開始の確認を促す画像を表示部に表示させない場合と比較して、よりユーザの意思を反映させた処理が実行される、という効果が得られる。
【００２８】
請求項１１に記載の発明によれば、生成部が登録部を用いないで付加処理情報を生成する場合と比較して、ユーザの確認がより確実化される、という効果が得られる。
【００２９】
請求項１２に記載の発明によれば、身体情報を処理情報に付加して付加処理情報を生成する場合と比較して、身体情報の変更がなされても柔軟に付加処理情報が生成される、という効果が得られる。
【００３０】
請求項１３に記載の発明によれば、身体情報端末とユーザ端末が別体で構成された場合と比較して、画像処理システムがより簡素化される、という効果が得られる。
【図面の簡単な説明】
【００３１】
【図１】実施の形態に係る画像処理装置および画像処理システムの構成を示すブロック図である。
【図２】実施の形態に係るユーザ端末における付加処理情報生成処理の流れを示すフローチャートである。
【図３】実施の形態に係る画像処理装置における付加処理情報実行処理の流れを示すフローチャートである。
【発明を実施するための形態】
【００３２】
以下、図面を参照して、本発明を実施するための形態について詳細に説明する。
【００３３】
図１から図３を参照して、本実施の形態に係る画像処理装置、および画像処理システムについて説明する。
【００３４】
図１は、本実施の形態に係る画像処理システム１の構成の一例を示している。図１に示すように、画像処理システム１は、画像処理装置１０、ユーザ端末３０、および身体情報端末５０を含んで構成されている。画像処理装置１０が本実施の形態に係る画像処理装置である。画像処理装置１０およびユーザ端末３０は、ネットワーク７０を介して相互に接続されている。図１では、ネットワーク７０に１台ずつの画像処理装置１０とユーザ端末３０が接続された形態を示しているが、これに限られず画像処理装置１０、ユーザ端末３０の各々は複数台であってもよい。また、ネットワーク７０の形態は特に限定されないが、本実施の形態では一例として、有線または無線によるＬＡＮ（Ｌｏｃａｌ  Ａｒｅａ  Ｎｅｔｗｏｒｋ）で構成されている。
【００３５】
本実施の形態に係る画像処理装置１０は、画像形成装置（プリンタ）、プリンタにスキャナ機能、ファクシミリ機能、コピー機能等が集約された複合機等、画像処理機能を備えた装置である。本実施の形態では、画像形成装置を例示して説明する。
【００３６】
身体情報端末５０は、ユーザが身に着けて（装着して）使用する端末装置である。身体情報端末５０の形態として特に限定されないが、例えばウェアラブル端末、スマートフォン、ＩＤカード（ＩＤｅｎｔｉｆｉｃａｔｉｏｎ  Ｃａｒｄ）等が挙げられる。本実施の形態に係る身体情報端末５０は一例としてウェアラブル端末を用いている。ウェアラブル端末の形態としては、時計型、メガネ型等特に限定されず用いられる。身体情報端末５０は複数のユーザの各々を区別するために、身体情報端末５０を装着するユーザの身体的特徴に関連する情報（以下、「身体情報」）を示す信号を、常時または間欠的に送信するアンテナ５２を備えている。本実施の形態に係る「身体情報」は、ユーザの虹彩の情報、ユーザの指紋の情報、ユーザの位置の情報等ユーザが区別される信号であれば特に限定されない。ユーザの位置の情報とは、例えばユーザの座席位置の情報である。当該位置情報は、例えば地図上の座標として表される。身体情報端末５０が送信する身体情報は１つに限られず、例えば虹彩の情報と位置の情報のように複数の身体情報であってもよい。身体情報を複数とすることにより、ユーザの特定がより確実なものとなる。
【００３７】
図１に示すように、画像処理装置１０は、ジョブ取得部１２、ジョブ管理部１４、ジョブ受信部１６、ジョブ実行部１８、身体情報端末通信部２０、および身体情報端末接近検知部２２を備えている。
【００３８】
身体情報端末通信部２０は、アンテナ２４を備え、主として身体情報端末５０から送信された上記身体情報を受信する。身体情報端末通信部２０が受信する身体情報は１つに限られず複数であってもよい。受信する身体情報が複数の場合は、上述のようにユーザの特定がより確実化される。身体情報端末５０との通信は一例として近距離無線通信方式を用いて行われる。本実施の形態で用いる近距離無線通信方式としては、例えばＮＦＣ（Ｎｅａｒ  Ｆｉｅｌｄ  Ｃｏｍｍｕｎｉｃａｔｉｏｎ）、Ｂｌｕｅｔｏｏｔｈ（登録商標）等が挙げられる。
【００３９】
身体情報端末接近検知部２２は、身体情報端末５０を装着するユーザの接近を、身体情報端末通信部２０における身体情報端末５０との通信によって検知する。接近の検知は、例えば身体情報端末通信部２０で受信する身体情報端末５０からの受信電波の強度を用いて、あるいは身体情報端末通信部２０、身体情報端末５０の各々が搭載するＧＰＳ信号を用いて行われる。本実施の形態では、一例として身体情報端末通信部２０で受信する身体情報端末５０からの受信電波の強度を用いてユーザの接近を検知している。身体情報端末接近検知部２２は、ユーザの接近を検知した場合その旨ジョブ取得部１２に通知する。
【００４０】
ジョブ受信部１６は、ネットワーク７０を介してユーザ端末３０から送信された付加処理情報を受信する。本実施の形態に係る付加処理情報は、後述するように、画像処理装置１０によって処理すべき情報に身体情報を関連付けた情報である。以下、該付加処理情報を「ジョブ」という場合がある。本実施の形態における「ジョブ」とは、画像処理装置１０で実行される処理の単位をいう。本実施の形態では、画像処理装置１０におけるジョブの一例として、画像形成処理（印刷、プリント）を例示して説明する。
【００４１】
ジョブ管理部１４は、ユーザ端末３０から送信されたジョブ等を記憶する記憶部であり、一例としてＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）等によって構成される。むろん、ジョブ管理部１４はユーザ端末３０から送信されたジョブ以外の画像処理情報、例えばスキャナで読み取られた画像情報等を記憶する場合もある。なお、ジョブ管理部１４は「保存部」の一例である。
【００４２】
ジョブ取得部１２は、身体情報端末接近検知部２２からユーザの接近の通知を受け取ると、身体情報端末５０から受信した身体情報を用いて、接近したユーザがネットワーク７０を介して画像処理装置１０に送信したジョブをジョブ管理部１４から取得する。具体的には、身体情報端末通信部２０で受信した身体情報と一致する身体情報が関連付けられたジョブをジョブ管理部１４から抽出する。
【００４３】
ジョブ実行部１８は、ジョブ取得部１２によって取得されたジョブを実行する。ジョブ実行部１８は、ユーザの接近後直ちにジョブを実行する場合以外に、予め定められた条件が充足された場合（例えば、あらかじめ定められた接近の条件が充足された場合等）に、ジョブ取得部１２によって取得されたジョブを実行する場合もある。
【００４４】
ユーザ端末３０は、ユーザが画像処理装置１０において実行させるジョブを生成する。ユーザ端末３０の形態は特に限定されないが、一例としてＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、タブレット端末等が挙げられる。本実施の形態では、ユーザ端末３０を一例としてＰＣとしている。ユーザ端末３０は、例えば複数のユーザの各々に対応して複数とされる場合もあるし、１台のユーザ端末３０が複数のユーザによって共用化される場合もある。図１に示すように、ユーザ端末３０は、ユーザ操作部３２、ジョブ生成部３４、ジョブ送信部３６、アンテナ４０が接続された身体情報端末通信部３８、および身体情報端末登録部４２を備えている。
【００４５】
身体情報端末通信部３８はユーザの装着する身体情報端末５０と通信し、主として身体情報を受信する。身体情報端末５０との通信は一例として近距離無線通信方式を用いて行われる。本実施の形態で用いる近距離無線通信方式としては、例えばＮＦＣ、Ｂｌｕｅｔｏｏｔｈ（登録商標）等が挙げられる。
【００４６】
ユーザ操作部３２は例えば液晶画面、キーボード等を含んで構成され、ユーザがジョブを生成する際のインタフェースとして用いられる。
【００４７】
ジョブ生成部３４は、ユーザがユーザ操作部３２を操作して入力した指示に基づいて処理情報（本実施の形態ではプリント処理情報）を作成する。また、身体情報端末通信部３８から身体情報を取得する。ジョブ生成部３４は処理情報の作成に際し、作成された処理情報に身体情報を関連付けて付加処理情報（ジョブ）を生成する。
【００４８】
ジョブ送信部３６は、ジョブ生成部３４で生成されたジョブを、ネットワーク７０を介して画像処理装置１０に送信する。
【００４９】
身体情報端末登録部４２は、ユーザ端末３０と身体情報端末５０とを対応付けて登録する。例えばユーザ端末３０が複数のユーザによって共用化される場合には、１台のユーザ端末３０に複数の身体情報端末５０が登録される場合もある。身体情報端末登録部４２に登録された身体情報端末５０の各々にはユーザの身体情報も関連付けて登録されている。
身体情報端末５０を身体情報端末登録部４２に登録するタイミングは、ユーザがユーザ端末３０を使用する前に予め登録しておく形態の他に、ユーザがユーザ端末３０を使用する際に自動的に登録する形態もある。
【００５０】
ここで、セキュリティ保持の観点から、画像処理装置においても親展処理（他人が知ることのない状態で処理結果を出力すること）が求められている。しかしながら、従来の画像処理装置の親展処理においては、ユーザごとに認証情報の設定・登録・管理を行う必要があった。また、ユーザが画像処理装置で親展処理を実行させる際にも、認証操作に加えて画像処理装置のＵＩ部等を介した処理の指定を行う必要があり、極めて煩雑であった。
従って、より簡易な構成により親展処理が行われることが、画像処理装置においても求められている。
【００５１】
一方、例えばユーザが画像処理装置に単純に接近しただけで誤って処理が実行されてしまったり、画像処理装置に近辺にユーザ以外の他人がいる状態で誤って処理が実行されてしまっては親展処理の実効が伴わない。そこで、本実施の形態では、ユーザ端末においてジョブに身体情報を付加し、画像処理装置では身体情報を受信した場合に当該身体情報が付与されたジョブを実行するようにした。このことにより、認証システムを用いる場合と比較して、より簡易に親展処理を行わせることが可能となる。
【００５２】
図２を参照して、本実施の形態に係るユーザ端末３０において実行される付加処理情報生成処理について説明する。図２は、本付加処理情報生成処理プログラムの流れを示すフローチャートである。本付加処理情報生成処理プログラムは、例えばユーザ端末３０の図示しないＲＯＭ（Ｒｅａｄ  Ｏｎｌｙ  Ｍｅｍｏｒｙ）等の記憶部に記憶され、ＣＰＵ（Ｃｅｎｔｒａｌ  Ｐｒｏｃｅｓｓｉｎｇ  Ｕｎｉｔ）がＲＡＭ等に展開して実行する。図２に示す付加処理情報生成処理では、ユーザがユーザ端末３０を用いて画像処理装置１０において実行されるプリントジョブの入力を開始したものとしている。
【００５３】
ステップＳ１００では、ユーザ（身体情報端末５０）を識別する情報である「身体情報」を取得するように身体情報端末通信部３８を制御する。本実施の形態に係る身体情報は、ユーザを識別可能な身体的な情報であれば特に限定されず、例えば虹彩の情報、指紋の情報、ユーザの位置の情報等が挙げられる。本実施の形態ではユーザの身体的な情報の一例としてユーザの虹彩の情報を用いている。身体情報を取得するタイミングは、例えばユーザ端末３０の身体情報端末通信部３８と身体情報端末５０との通信が確立されたタイミングである。ステップＳ１００の後に、取得された身体情報が身体情報端末登録部４２に登録済であるか否か確認するステップを設けてもよい。該確認ステップにより、ユーザの確認がより確実化される。
【００５４】
ステップＳ１０２では、ステップＳ１００で取得した身体情報を画像処理装置１０で実行させるプリント処理情報に付加して、付加処理情報（ジョブ）生成するようにジョブ生成部３４を制御する。具体的には、プリント処理用に生成されるＰＤＬ（Ｐａｇｅ  Ｄｅｓｃｒｉｐｔｉｏｎ  Ｌａｎｇｕａｇｅ）データに身体情報を埋め込む。処理情報に身体情報を付加するタイミングは、例えばユーザが処理情報作成の入力を開始したタイミング、あるいは処理情報の作成が完了したタイミングとする。なお、本実施の形態では画像処理装置１０で実行される処理情報に身体情報を直接付加する形態を例示して説明するが、これに限られず、処理情報と身体情報とを関連付けて（対にして）図示しないユーザ端末３０のＨＤＤ等の記憶部に記憶させてもよい。
【００５５】
ステップＳ１０４では、ステップＳ１０２で生成したジョブを画像処理装置１０に送信するようにジョブ送信部３６を制御する。当該送信は、ジョブの生成の完了とともにジョブ送信部３６が自動的に行うようにしてもよいし、ユーザに対する待ち受け画面を図示しないＵＩ等に表示させ、ユーザの指示によって行うようにしてもよい。
【００５６】
次に、図３を参照して、本実施の形態に係る画像処理装置１０において実行される付加処理情報実行処理について説明する。図３は、本付加処理情報実行処理の流れを示すフローチャートである。本付加処理情報実行処理プログラムは、例えば画像処理装置１０の図示しないＲＯＭ等の記憶部に記憶され、ＣＰＵがＲＡＭ等に展開して実行する。図３に示す付加処理情報実行処理では、ユーザがすでにユーザ端末３０からネットワーク７０を介して画像処理装置１０にジョブを送信しているものとする。
【００５７】
ステップＳ２００では、身体情報端末５０（ユーザ）が接近するまで待機するように身体情報端末接近検知部２２を制御する。身体情報端末５０の接近が検知された場合はステップＳ２０２に移行する。
【００５８】
ここで、ユーザの接近の検知は、上述したように、身体情報端末通信部２０における身体情報端末５０との通信に基づいて行われる。すなわち、一例として、身体情報端末接近検知部２２は身体情報端末５０から送信される送信信号の電波強度を身体情報端末通信部２０から受け取り、当該電波強度が予め定められた値以上となった場合に接近を検知する。なお、これに限られず、例えば身体情報端末５０および身体情報端末通信部２０の各々にＧＰＳ機能を備えさせ、身体情報端末５０のＧＰＳ信号と身体情報端末通信部２０のＧＰＳ信号との差分が予め定められた値以下となった場合にユーザの接近を検知するようにしてもよい。
【００５９】
ステップＳ２０２では、接近状態が予め定められた期間（時間）以上継続（維持）したか否か判定する。当該判定が肯定判定となった場合には、ユーザが使用を意図して画像処理装置１０に接近したものと判断して、ステップＳ２０４に移行する。一方当該判定が否定判定となった場合には、ユーザの接近が解除されたものとしてステップＳ２００に戻り、身体情報端末５０の接近の検知を継続する。
【００６０】
ステップＳ２０４では、別の身体情報端末５０（ユーザ）が接近しているか否か判定する。当該判定は、ステップＳ２００と同様に、身体情報端末接近検知部２２が身体情報端末５０から送信される送信信号の電波強度を身体情報端末通信部２０から受け取り実行する。当該判定が肯定判定となった場合にはステップＳ２００に移行する。すなわち、複数のユーザの接近が検知された場合は、画像処理装置１０を使用するユーザを特定せず、身体情報の取得を実行しない。これは、画像処理において実行するジョブはいずれか一のユーザのジョブであるが、複数の身体情報端末５０が検知されたため、処理対象ジョブのユーザが特定されないためである。また、例えば最初に接近したユーザのジョブを実行することとした場合、ジョブと関係のないユーザによりプリント内容が視認される可能性があるからである。すなわち、ジョブの親展処理が損なわれるからである。
【００６１】
ステップＳ２０６では、接近した身体情報端末５０から身体情報を取得するように身体情報端末通信部２０を制御する。
【００６２】
ステップＳ２０８では、ステップＳ２０６で取得した身体情報と一致する身体情報が付加されたジョブ（付加処理情報）がジョブ管理部１４に存在するか否か判定するようにジョブ管理部１４を制御する。当該判定が否定判定となった場合にはステップＳ２００に戻って身体情報端末５０の接近の検知を継続し、肯定判定となった場合にはステップＳ２１０に移行する。
【００６３】
ステップＳ２１０では、ステップＳ２０６で取得した身体情報と一致する身体情報が付加されたジョブ（付加処理情報）をジョブ管理部１４から取得するようにジョブ取得部１２を制御する。
【００６４】
ステップＳ２１２では、ジョブ（付加処理情報）がジョブ管理部１４に保存されてから予め定められた期間（時間）を越えて経過しているか否か判定するようにジョブ管理部１４を制御する。当該判定が肯定判定となった場合には、ステップＳ２００戻る、すなわちジョブを実行しない。例えば、身体情報端末５０あるいはユーザ端末３０が複数のユーザによって共用化されている場合において、ジョブ管理部１４に保存されてから一定時間を越えている場合には、ユーザとジョブとの対応があいまいになる恐れがあるからである。
また、画像処理装置１０のジョブ管理部１４の記憶容量が一定規模以上になることを抑制する。一方、否定判定となった場合にはステップＳ２１４に移行する。
【００６５】
ステップＳ２１４では、ジョブ（付加処理情報）に含まれる処理情報に対応する処理であるプリント処理を実行する。その際、画像処理装置１０の図示しないＵＩ部等に当該ジョブが実行可能であることを表示し、ユーザからの実行開始の指示を待機するようにしてもよい。
【００６６】
ステップＳ２１６では、終了指示があったか否か判定し、当該判定が否定判定となった場合にはステップＳ２００に戻って身体情報端末５０の接近の検知を継続する一方、肯定判定となった場合には本付加処理情報実行処理プログラムを終了する。ステップＳ２１６における終了指示とは、例えば画像処理装置１０の電源がオフにされた場合である。
【００６７】
なお、本実施の形態では、身体情報端末５０とユーザ端末３０が別体である形態を例示して説明したが、これに限られず身体情報端末５０とユーザ端末３０とが一体である形態としてもよい。例えばユーザ端末３０がタブレット端末等のユーザによって携行される端末である場合には、身体情報端末５０とユーザ端末３０とが共通化される。すなわち、ユーザ端末３０の図示しない記憶部にユーザの身体情報を記憶させておき、ユーザ端末３０がジョブを送信する際に該記憶部から身体情報を読み出して処理情報に関連付ける。そして、ユーザがユーザ端末３０を携行して画像処理装置１０に接近した場合にジョブを実行するようにしてもよい。
【００６８】
また、上記の各実施形態に係るユーザ端末３０、画像処理装置１０によって行われる各処理は、コンピュータに実行させるためのプログラムとして記憶手段に記録して流通させるようにしてもよい。
【符号の説明】
【００６９】
１      画像処理システム
１０    画像処理装置
１２    ジョブ取得部
１４    ジョブ管理部
１６    ジョブ受信部
１８    ジョブ実行部
２０    身体情報端末通信部
２２    身体情報端末接近検知部
２４    アンテナ
３０    ユーザ端末
３２    ユーザ操作部
３４    ジョブ生成部
３６    ジョブ送信部
３８    身体情報端末通信部
４０    アンテナ
４２    身体情報端末登録部
５０    身体情報端末
５２    アンテナ
７０    ネットワーク
【図１】
2019168757.tif 000003
【図２】
2019168757.tif 000004
【図３】
2019168757.tif 000005